(57)【要約】便器用の清涼化および／または洗浄システムには、便器ボウルの縁の下から液状組成物を加えるためのディスペンサーが含まれる。このディスペンサーは便器ボウルの縁から懸架させるためのリザーバーの形状をしており、その中に液状組成物を収蔵している。この液状組成物は、アニオン性およびノニオン性界面活性剤を組み合わせたものを全濃度として２２．５重量％、増粘剤を濃度０．４０重量％、そして芳香物質を濃度６．００重量％で含んでいて、その粘度は約３，５００ｍＰａｓである。【特許請求の範囲】
【請求項１】
便器ボウルの縁の下から液状組成物を加えるためのディスペンサーを含む便器用の清涼化および／または洗浄システムであって、前記の液状組成物の粘度が２５００ｍＰａｓをこえる、システム。
【請求項２】
前記の液状組成物の粘度が６０００ｍＰａｓ未満である、請求項１に特許請求されたシステム。
【請求項３】
前記の液状組成物の粘度が、３０００から５０００ｍＰａｓの範囲内である、請求項２に特許請求されたシステム。
【請求項４】
前記の液状組成物の粘度が約３５００ｍＰａｓ未満である、請求項３に特許請求されたシステム。
【請求項５】
前記の液状組成物が界面活性剤を含む、先行する請求項のいずれかにおいて特許請求されたシステム。
【請求項６】
前記の界面活性剤の全濃度が５から３５重量％の範囲内である、請求項５に特許請求されたシステム。
【請求項７】
前記の界面活性剤の全濃度が実質的に２２．５重量％である、請求項６に特許請求されたシステム。
【請求項８】
前記の界面活性剤がアニオン性界面活性剤またはノニオン性界面活性剤のいずれか、または、それらの組み合わせである、請求項５〜７のいずれか１項に特許請求されたシステム。
【請求項９】
少なくとも１種のアニオン性界面活性剤を構成するアルキルエーテル硫酸塩を含む、請求項８に特許請求されたシステム。
【請求項１０】
少なくとも１種のノニオン性界面活性剤を構成するエトキシル化合成アルコールを含む、請求項８または請求項９に特許請求されたシステム。
【請求項１１】
前記の液状組成物が芳香物質をさらに含む、先行する請求項のいずれかにおいて特許請求されたシステム。
【請求項１２】
前記の芳香物質の全濃度が４〜１５重量％の範囲内である、請求項１１に特許請求されたシステム。
【請求項１３】
前記の芳香物質の全濃度が実質的に６重量％である、請求項１１または請求項１２に特許請求されたシステム。
【請求項１４】
前記の液状組成物が増粘剤を含む、先行する請求項のいずれかにおいて特許請求されたシステム。
【請求項１５】
前記の増粘剤の濃度が、共存していてもよい全ての界面活性剤および芳香物質とは別に、０．２〜５重量％の範囲内である、請求項１４に特許請求されたシステム。
【請求項１６】
前記の増粘剤がヒドロキシエチルセルロースである、請求項１４または請求項１５に特許請求されたシステム。
【請求項１７】
前記の液状組成物が、１種または複数の金属イオン封鎖剤、ｐＨ調節剤、色素および防腐剤をさらに含む、先行する請求項のいずれかにおいて特許請求されたシステム。
【請求項１８】
便器ボウル中において、先行する請求項のいずれかにおいて特許請求された便器用の清涼化および／または洗浄システムを使用する方法。
【請求項１９】
先に実質的に記述された、便器ボウルの縁の下から液状組成物を加えるためのディスペンサーを含む、便器用の清涼化および／または洗浄システム。
【請求項２０】
先に実質的に記述された便器用の清涼化および／または洗浄システムを、便器ボウルにおいて使用する方法。
【発明の詳細な説明】
【０００１】
本発明は、便器（ｌａｖａｔｏｒｙ）のための清涼化剤（ｆｒｅｓｈｅｎｅｒ）および／または洗浄剤（ｃｌｅａｎｅｒ）システムに関し、また、そのようなシステムを便器ボウルに使用する方法に関する。特に、本発明は、液状の清涼化および／または洗浄組成物を含むシステムおよび液体ディスペンサーに関する。
【０００２】
いくつかの便器用の清涼化および／または洗浄システムが知られている。これらのシステムに含まれるものには、「固体ブロック体」型システムがあり、これは清涼化および／または洗浄用のブロックを便器の縁の下または水槽内に置いておくものである。縁の下に置くシステムの場合には、便器に水を吐出するたびにブロックの一部が水に溶解され、便器ボウルの洗浄および／または清涼化が行われる。水槽にブロックを置くシステムでは、ブロックの一部が吐出の前に水槽中で溶解され、水槽中に保持されていた水が便器ボウル中へ吐出されることによって、トイレの洗浄および清涼化が行われる。しかしながら、トイレ用固体ブロックにはいくつかの欠陥があり、特に、ブロックの使用寿命を通して、洗浄および清涼化用の薬剤の放出量を一定とすることができないことが指摘されている。
【０００３】
別の清涼化および洗浄用のシステムとしては、液体ディスペンシング型のシステムがある。そのようなシステムでは、液体ディスペンサーと、液状の清涼化および／または洗浄用の組成物とを使用している。そのようなシステムに好適な液体ディスペンサーについては、本出願人による国際公開特許第９９／６６１３９号に記載がある。そのような液体ディスペンサーでは一般的に、リザーバーおよび、パッドまたは、中にキャピラリー導管が形成されているプレートの形の送液器具（ｌｉｑｕｉｄ−ｃｏｎｖｅｙｉｎｇ　ｄｅｖｉｃｅ）が備えられていて、ここでその送液器具とリザーバーは、リザーバー中に蓄えられている清涼化および／または洗浄用の組成物を、調節しながら、送液器具に送ることを可能とするように結合されている。この液体ディスペンサーを便器の縁の下に配置し、水吐出の間に、十分な量の清涼化および／または洗浄用の組成物が便器ボウルに送られ、便器ボウルが洗浄されるようにする。
【０００４】
この液体洗浄システムを効果的に働かせるためには、この液体ディスペンサーに好適な洗浄および／または清涼化用の液状組成物を用いなければならない。そのような液状組成物には、清涼化および／または洗浄機能を果たすための、ある種の性能が備わっているのが望ましい。特に、この組成物を吐出水に加えた際に、十分な泡立ちが起きるのが望ましい。便器ボウルのクリーニングおよび、組成物中に含まれている芳香物質の放散を促進するためには、泡立たせることが望ましい。泡立ちはさらに、トイレで水を吐出させた時に、ある種の見た目の好ましさを与えるものである。
【０００５】
これまで述べてきたタイプの液体洗浄ステムに好適とされる液状の洗浄組成物としては、欧州特許出願Ａ第０　７７５　７４１号に開示されているものが知られており、これに記載されているのは、室温における粘度が１０〜２０００ｍＰａｓで、以下のものを含む組成物である。
（ａ）１〜２５重量％の芳香物質、
（ｂ）１０〜５０重量％のアニオン性またはノニオン性界面活性剤、
（ｃ）１〜２０重量％の非揮発性で水溶性の蒸発調節剤、および、
（ｄ）残りが溶媒。
【０００６】
本明細書で用いる場合、「粘度」という用語は、たとえば、ブルックフィールド粘度計を用いて測定（スピンドルＮｏ．３、１２ｒｐｍ、３０秒、２０℃）したような、動粘度を表す。上記の粘度の値の範囲は、経済性と生産の容易さの面から、通常使用されているものと考えられる。
【０００７】
しかしながら、そのような液体を保持するディスペンサーでは、ある種の条件下では、吐出用の水をリザーバーの中へ呼び込む可能性があることが見出された。このようなことがあると、リザーバー中の液体に含まれる活性成分の濃度が低下することとなり、その結果、リザーバーの使用寿命の期間を通じて、便器ボウルに移動する活性成分の量がそれ相応に減少することになる。特にこのことは、泡立ちおよび芳香成分の放出の減少という面で顕著にあらわれる。
【０００８】
本願発明者らが見出したところでは、液状組成物の粘度を実質的に上げることによって、このような好ましからざる現象を実質的に抑制、あるいはさらには皆無とすることが可能である。
【０００９】
したがって、本発明によれば、便器ボウルの縁の下から液状組成物を加えるためのディスペンサーを含む便器用の清涼化および／または洗浄システムが提供されるが、ここで前記の液状組成物の粘度が２５００ｍＰａｓをこえるものである。
【００１０】
この粘度は６０００ｍＰａｓより低いのが好ましく、より好ましくは３０００〜５０００ｍＰａｓの範囲内である。最も好ましい値は、約３５００ｍＰａｓである。
【００１１】
典型的にこのような液状組成物には、界面活性剤が含まれる。界面活性剤は各種の機能を発揮するが、とりわけ、水の吐出の際に泡を発生させること、および、液状組成物中に存在する芳香物質をすべて溶解させたり、ミクロ乳化させたりする機能を有している。
【００１２】
界面活性剤の全濃度は５〜３５重量％の範囲内であるのが好ましいが、その数値が実質的に２２．５重量％であれば、最も好ましい。
【００１３】
アニオン性および／またはノニオン性の界面活性剤が好適であるが、アニオン性およびノニオン性界面活性剤を組み合わせるのが特に望ましい。アニオン性界面活性剤として好ましいのは、アルキルエーテル硫酸塩であって、たとえば、商品名ステオール（Ｓｔｅｏｌ）ＣＳ２７０として市販されているもので、このものには活性な界面活性剤が７０重量％の濃度で含まれている。またノニオン性界面活性剤として好ましいのは、エトキシル化合成アルコールで、たとえば、商品名ルーテンゾール（Ｌｕｔｅｎｓｏｌ）Ａ０８として市販されているものがある。
【００１４】
任意成分として芳香物質を加えてもよく、それにより、便器ボウルおよびその周辺を清涼化する。この液状組成物に好適な芳香物質としては、たとえば商品名ベルタナ（Ｖｅｒｔａｎａ）１１４．７３７として市販されているものがある。
【００１５】
芳香物質の全濃度は４〜１５重量％の範囲内であるのが好ましいが、その数値が実質的に６重量％であれば、最も好ましい。
【００１６】
界面活性剤と芳香物質を組み合わせたものは増粘剤としても機能することが可能で、その結果、界面活性剤および／または芳香物質を選択することによってその組成物の粘度をある程度までは調節することができるが、さらに１種または複数の増粘剤を、好ましくはその全濃度が０．２〜２０重量％の範囲内となるように、組成物に追加するのが好ましい。追加の増粘剤の濃度は実質的に０．４０重量％であれば、最も好ましい。増粘剤として好ましいものとしては、たとえば、商品名ナトラゾール（Ｎａｔｒａｓｏｌ）２５０ＨＨＲとして市販されているようなヒドロエチルセルロースがある。
【００１７】
さらに、湿潤剤をこの液状組成物に加えてもよい。芳香物質を存在させる場合には、組成物からその放香物質が揮発するのを調節するために、湿潤剤を加えるのが望ましい。さらに湿潤剤は、組成物における相分離や沈降を防止するのにも有用である。
【００１８】
好適な湿潤剤としては、グリコール、グリコエーテル、アルコール、糖類およびポリエーテルなどがある。
【００１９】
任意成分として、この組成物には、金属イオン封鎖剤、ｐＨ調節剤、色素および防腐剤などが含まれていてもよい。
【００２０】
本発明には、そのような便器用の清涼化および／または洗浄システムを便器ボウルに使用する方法も包含される。
【００２１】
本発明の好適な実施例としては、以下の成分を有する液状組成物が含まれる。
【００２２】
【表１】
2004502863.tif 000002
上記の表から判るように、この組成物にはステオール（Ｓｔｅｏｌ）ＣＳ２７０が含まれる。このものにはアニオン性界面活性剤が７０重量％の濃度で含まれているので、この組成物中のアニオン性界面活性剤の実際の濃度は、１７．５重量％であり、組成物中の全界面活性剤濃度は２２．５重量％となる。
【００２３】
上記の液状組成物の最終的な粘度は、約３５００ｍＰａｓである。
【国際公開パンフレット】
2004502863.tif 000003
2004502863.tif 000004
2004502863.tif 000005
2004502863.tif 000006
2004502863.tif 000007
2004502863.tif 000008
2004502863.tif 000009
【国際調査報告】
2004502863.tif 000010
2004502863.tif 000011
2004502863.tif 000012